(57)【特許請求の範囲】
【請求項１】
ステータスメッセージに基づく広告サービスに関連するプロセッサによって、少なくとも１つのステータスアップデートサービスのメンバであるとともに前記少なくとも１つのステータスアップデートサービス内に少なくとも１つの社会的接触先を定義しているユーザのネットワーク接続可能なデバイスへステータスアップデートサービス内でブロードキャストされ、前記ユーザによって前記少なくとも１つの社会的接触先の１つと交換された複数のステータスメッセージをネットワークを介して検索するステップと、
ステータスメッセージに基づく広告サービスに関連する前記プロセッサによって、前記複数のステータスメッセージを少なくとも１つのコンピュータ装置を使用して分析し、前記複数のステータスメッセージ内に存在する社会的データ、トピックデータ、空間データ及び時間データの集合を含む前記ユーザのステータスアップデート状況を特定するステップと、
ステータスメッセージに基づく広告サービスに関連する前記プロセッサによって、前記少なくとも１つのコンピュータ装置を使用して、前記ユーザのステータスアップデート状況を、コンピュータ可読媒体に記憶された少なくとも１つのターゲティングされた広告にマッチさせるステップと、
ステータスメッセージに基づく広告サービスに関連する前記プロセッサによって、前記少なくとも１つのターゲティングされた広告を前記ネットワークを介して前記ユーザの前記ネットワーク接続可能デバイスへ送信するステップであって、前記少なくとも１つのターゲティングされた広告は、前記ユーザによって前記ユーザの少なくとも１つの社会的接触先の内の前記少なくとも１つと交換された前記複数のステータスメッセージの少なくとも１つに基づいて前記ユーザのステータスアップデート状況にマッチさせられ、前記少なくとも１つのターゲティングされた広告は、前記ユーザの少なくとも１つの社会的接触先の前記少なくとも１つのネットワーク接続可能デバイスに前記ユーザのネットワーク接続可能デバイスによって前記ネットワークを介して前記少なくとも１つのターゲティングされた広告が送信されるように前記ユーザの少なくとも１つの社会的接触先の内の前記少なくとも１つについての情報と共に構成されているステップと、
を含むことを特徴とする方法。
【請求項２】
前記少なくとも１つのターゲティングされた広告が、前記少なくとも１つのターゲティングされた広告に関連するユーザインターフェイスのイベントが発生したときに広告主に課される料金をさらに含み、前記方法が、
ステータスメッセージに基づく広告サービスに関連する前記プロセッサによって、前記少なくとも１つのターゲティングされた広告に関連する前記ユーザインターフェイスのイベントが発生したという通知を前記ネットワークを介して受け取るステップと、
少なくとも１つのコンピュータ装置を使用して前記料金を広告主に課金するステップと、
をさらに含むことを特徴とする請求項１に記載の方法。
【請求項３】
前記複数のステータスメッセージが、前記ユーザの前記ネットワーク接続可能デバイスによって前記少なくとも１つのステータスアップデートサービスを介して前記ユーザの社会的接触先の少なくとも１つへ送信されたステータスメッセージをさらに含む、
ことを特徴とする請求項１に記載の方法。
【請求項４】
個々のターゲティングされた広告が、広告主の識別情報と、少なくとも１つの広告と、少なくとも１つのターゲティング基準を含むターゲティングプロファイルとを含み、前記ユーザのステータスアップデート状況が、少なくとも１つのターゲティングされた広告に関連するターゲティング基準にマッチする、
ことを特徴とする請求項１に記載の方法。
【請求項５】
前記ユーザのステータスアップデート状況における前記社会的データが、前記ユーザと、該ユーザに前記複数のステータスメッセージの各々を送信した少なくとも１つの社会的接触先との間の関係の強さ及び種類に関するデータを含み、
前記ユーザのステータスアップデート状況における前記トピックデータが、前記複数のステータスメッセージ内で話題となったトピックに関するデータを含み、
前記ユーザのステータスアップデート状況における前記時間データが、前記複数のステータスメッセージ内の日付及び時間に関するデータを含み、
前記ユーザのステータスアップデート状況における前記空間データが、前記複数のステータスメッセージ内の物理的位置に関するデータを含む、
ことを特徴とする請求項３に記載の方法。
【請求項６】
ステータスメッセージに基づく広告サービスに関連する前記プロセッサによって、前記ユーザと前記少なくとも１つの社会的接触先との間の前記関係の強さが、前記ユーザが前記少なくとも１つのソーシャルネットワーキングサイト上に保持する関係の定義により求められる、
ことを特徴とする請求項５に記載の方法。
【請求項７】
ステータスメッセージに基づく広告サービスに関連する前記プロセッサによって、前記ユーザと前記少なくとも１つの社会的接触先との間の前記関係の強さが、前記ユーザと前記少なくとも１つの社会的接触先との間のメッセージの頻度により求められる、
ことを特徴とする請求項５に記載の方法。
【請求項８】
ステータスメッセージに基づく広告サービスに関連する前記プロセッサによって、前記ユーザと前記少なくとも１つの社会的接触先との間の前記関係の強さが、前記ユーザ及び前記少なくとも１つの社会的接触先により送信されたステータスメッセージ内のトピックデータの類似性により求められる、
ことを特徴とする請求項５に記載の方法。
【請求項９】
ステータスメッセージに基づく広告サービスに関連する前記プロセッサによって、前記少なくとも１つのターゲティング基準が、社会的ターゲティング基準、ターゲティング基準、時間的ターゲティング基準、及び空間的ターゲティング基準のリストから選択される、
ことを特徴とする請求項４に記載の方法。
【請求項１０】
前記少なくとも１つのターゲティング基準が、特定の社会的ターゲティング基準、トピック的ターゲティング基準、時間的ターゲティング基準、又は空間的ターゲティング基準に関連しなければならない前記複数のステータスメッセージの閾値数を指定する少なくとも１つのデータ頻度基準を含む、
ことを特徴とする請求項９に記載の方法。
【請求項１１】
前記少なくとも１つのターゲティング基準が、前記少なくとも１つの社会的接触先の少なくとも２つから、閾値数の前記複数のステータスメッセージ内に特定の社会的ターゲティング基準、トピック的ターゲティング基準、時間的ターゲティング基準、又は空間的ターゲティング基準が存在しなければならないことを規定する少なくとも１つのデータ配信基準を含む、
ことを特徴とする請求項９に記載の方法。
【請求項１２】
前記少なくとも１つのターゲティング基準が、少なくとも１つのソーシャルネットワーキングサイトの少なくとも２つから、閾値数の前記複数のメッセージ内に特定の社会的ターゲティング基準、トピック的ターゲティング基準、時間的ターゲティング基準、又は空間的ターゲティング基準が存在しなければならないことを規定する少なくとも１つのデータ配信基準を含む、
ことを特徴とする請求項９に記載の方法。
【請求項１３】
前記少なくとも１つのターゲティングされた広告が、前記ユーザが前記少なくとも１つのステータスアップデートサービスにログオンしたときに前記ユーザに対してディスプレイ装置上に表示される、
ことを特徴とする請求項１に記載の方法。
【請求項１４】
ステータスメッセージに基づく広告サービスに関連する前記プロセッサによって、前記少なくとも１つのターゲティングされた広告が、電子メール、インスタントメッセージ又はＳＭＳを使用して前記ユーザへ送信される、
ことを特徴とする請求項１に記載の方法。
【請求項１５】
前記ユーザの少なくとも１つの社会的接触先が前記ユーザへ送信した前記複数のステータスメッセージのうちの少なくとも１つによって前記ユーザのステータスアップデート状況にマッチした前記少なくとも１つのターゲティングされた広告が、前記ユーザの少なくとも１つの社会的接触先の少なくとも１つの識別情報を含む、
ことを特徴とする請求項１に記載の方法。
【請求項１６】
少なくとも１つのステータスアップデートサービスのメンバであるとともに前記少なくとも１つのステータスアップデートサービス内に少なくとも１つの社会的接触先を定義しているユーザのネットワーク接続可能デバイスへ、ステータスアップデートサービス内でブロードキャストされ、前記ユーザによって前記少なくとも１つの社会的接触先の１つと交換された複数のステータスメッセージをネットワークを介して検索するメッセージ検索モジュールと、
前記メッセージ検索モジュールが検索した前記複数のステータスメッセージを分析して、前記複数のステータスメッセージ内に存在する社会的データ、トピックデータ、空間データ及び時間データの集合を含む前記ユーザのステータスアップデート状況を特定するメッセージ分析モジュールと、
前記メッセージ分析モジュールが特定した前記ユーザのステータスアップデート状況を、コンピュータ可読媒体に記憶された少なくとも１つのターゲティングされた広告とマッチさせる広告マッチングモジュールと、
前記少なくとも１つのターゲティングされた広告を、前記ネットワークを介して、前記ユーザの前記ネットワーク接続可能デバイスへ送信する広告送信モジュールであって、前記少なくとも１つの広告は、前記ユーザの少なくとも１つの社会的接触先によって、前記ユーザへ送信された前記複数のステータスメッセージの少なくとも１つに基づいて前記ユーザのステータスアップデート状況にマッチさせられ、前記少なくとも１つのターゲティングされた広告のデータ頻度基準に前記ユーザのステータスアップデート状況がマッチしたときに、前記ユーザの少なくとも１つの社会的接触先の前記少なくとも１つのネットワーク接続可能デバイスへ前記ユーザによって前記少なくとも１つのターゲティングされた広告が送信されるように前記少なくとも１つの広告の送信のための前記ユーザの少なくとも１つについての情報と共に構成されている広告送信モジュールと、
を備えることを特徴とするシステム。
【請求項１７】
前記複数のステータスメッセージが、前記ユーザが前記少なくとも１つのソーシャルネットワーキングウェブサイトを介して前記ユーザの社会的接触先の少なくとも１つへ送信したステータスメッセージをさらに含み、
前記ユーザのステータスアップデート状況における前記社会的データが、前記ユーザと、該ユーザに前記複数のステータスメッセージの各々を送信した少なくとも１つの社会的接触先との間の関係の強さ及び種類に関するデータを含み、
前記ユーザのステータスアップデート状況における前記トピックデータが、前記複数のステータスメッセージ内で話題となったトピックに関するデータを含み、
前記ユーザのステータスアップデート状況における前記時間データが、前記複数のステータスメッセージ内の日付及び時間に関するデータを含み、
前記ユーザのステータスアップデート状況における前記空間データが、前記複数のステータスメッセージ内の物理的位置に関するデータを含む、
ことを特徴とする請求項１６に記載のシステム。
【請求項１８】
プロセッサが実行可能な方法のためのコンピュータ実行可能命令を有するコンピュータ可読媒体であって、前記方法が、
前記プロセッサによって、少なくとも１つのステータスアップデートサービスのメンバであるとともに前記少なくとも１つのステータスアップデートサービス内に少なくとも１つの社会的接触先を定義しているユーザのネットワーク接続可能デバイスへ、前記少なくとも１つのステータスアップデートサービス内でブロードキャストされ、前記ユーザによって前記少なくとも１つの社会的接触先の１つと交換された複数のステータスメッセージをネットワークを介して検索するステップと、
前記プロセッサによって、前記複数のステータスメッセージを少なくとも１つのコンピュータ装置を使用して分析し、前記複数のステータスメッセージ内に存在する社会的データ、トピックデータ、空間データ及び時間データの集合を含む前記ユーザのステータスアップデート状況を特定するステップと、
前記プロセッサによって、前記少なくとも１つのコンピュータ装置を使用して、前記ユーザのステータスアップデート状況を、コンピュータ可読媒体に記憶された少なくとも１つのターゲティングされた広告にマッチさせるステップと、
前記少なくとも１つのターゲティングされた広告を前記ネットワークを介して前記ユーザへ送信するステップであって、前記少なくとも１つのターゲティングされた広告は、前記ユーザによって前記少なくとも１つの社会的接触先と交換された前記複数のステータスメッセージの少なくとも１つに基づいて前記ユーザのステータスアップデート状況にマッチさせられ、前記少なくとも１つのターゲティングされた広告は、前記ユーザの少なくとも１つの社会的接触先のネットワーク接続可能デバイスに前記ユーザのネットワーク接続可能デバイスを介して前記ユーザによって前記ネットワークを介して前記少なくとも１つのターゲティングされた広告が転送されるように前記ユーザの少なくとも１つの社会的接触先の内の前記少なくとも１つについての情報と共に構成されているステップと、
を含むことを特徴とするコンピュータ可読媒体。
【発明の詳細な説明】
【技術分野】
【０００１】
本出願は著作権保護の対象内容を含む。著作権の権利所有者は、合衆国特許商標庁のファイル又は記録内に表されるとおりに第三者が特許開示を複製することには異議を唱えないが、それ以外は全ての著作権を留保する。
【０００２】
本発明は、ウェブベース広告の有効性を改善するためのシステム及び方法に関し、より詳細には、ステータスメッセージを使用してターゲット広告を配信するためのシステム及び方法に関する。
【背景技術】
【０００３】
一般に、ウェブベースの広告システムは、ターゲット広告を配信するために、ユーザの現在の状況に関する情報をできるだけ多く集めようとする。従来、最も成功した形のコンテンツ連動型広告は、ユーザが検索クエリ内に打ち込んだキーワードに基づく広告で構成される「検索広告」である。この広告はユーザの「検索状況」に基づくものであり、ユーザがトピックを明示的に検索することによってこのトピックへの具体的な興味が示されているので、一般に関連性が非常に高い。
【発明の概要】
【発明が解決しようとする課題】
【０００４】
しかしながら、ユーザに関する未開発のままの情報は多く存在する。ソーシャルウェブが成長するにつれ、人々は、興味が明確に示されないソーシャルウェブをブラウズすることにますます多くの時間を費やしている。この１つの一般的な例に、Ｔｗｉｔｔｅｒなどのマイクロブロギングサービス及びＦａｃｅＢｏｏｋなどのソーシャルネットワーク内のステータスメッセージがある。ユーザは、ユーザの知人からのステータスメッセージを読むことに多くの時間を費やし、この時間中、ユーザはいずれの特定の分野にも全く興味を示さない。これらのステータスメッセージは、ユーザのステータスアップデート状況に関する大量の情報を提供することができ、これをコンテンツ連動型広告に使用することができる。
【課題を解決するための手段】
【０００５】
１つの実施形態では、本発明は、方法、及び方法のためのコンピュータ実行可能命令を有するコンピュータ可読媒体である。社会的に認識されたメッセージングサービスのメンバであるとともにこのサービスに対して少なくとも１つの社会的接触先を定義しているユーザへ、少なくとも１つの社会的に認識されたメッセージングサービスを介してユーザの社会的接触先の１つにより各々が送信された複数のステータスメッセージを検索する。この複数のステータスメッセージを少なくとも１つのコンピュータ装置を使用して分析し、複数のステータスメッセージ内に存在する社会的データ、トピックデータ、空間データ及び時間データの集合を含むユーザのステータスアップデート状況を特定する。コンピュータ装置を使用して、このユーザのステータスアップデート状況を、コンピュータ可読媒体に記憶された少なくとも１つのターゲット広告にマッチさせる。マッチした広告を、ネットワークを介してユーザへ送信する。
【０００６】
１つの実施形態では、本発明はシステムであり、このシステムは、１つの社会的に認識されたメッセージングサービスのメンバであるとともにこの１つの社会的に認識されたメッセージングサービス上に少なくとも１つの社会的接触先を定義しているユーザへ、少なくとも１つの社会的に認識されたメッセージングサービスを介してユーザの社会的接触先の１つにより各々が送信された複数のステータスメッセージをネットワークを介して検索するメッセージ検索モジュールと、メッセージ検索モジュールが検索したステータスメッセージを分析して、このステータスメッセージ内に存在する社会的データ、トピックデータ、空間データ及び時間データの集合を含むユーザのステータスアップデート状況を特定するメッセージ分析モジュールと、メッセージ分析モジュールが特定したユーザのステータスアップデート状況を、コンピュータ可読媒体に記憶された少なくとも１つのターゲット広告にマッチさせる広告マッチングモジュールと、この少なくとも１つのターゲット広告をネットワークを介してユーザへ送信する広告送信モジュールとを備える。
【０００７】
様々な図を通じて参照文字が同じ部分を示す添付図面に示す以下の好ましい実施形態の詳細な説明から、本発明の上述の及びその他の目的、特徴及び利点が明らかになるであろう。図面は必ずしも縮尺通りではなく、本発明の原理を示すことを重視している。
【図面の簡単な説明】
【０００８】
【図１】ステータスメッセージに基づくコンテンツ連動型広告システムの少なくとも１つの実施形態をサポートできるシステムの構成要素を示す高レベル図である。
【図２】ステータスメッセージに基づくコンテンツ連動型広告のための処理の１つの実施形態を示す図である。
【図３】図２に示すステータスメッセージに基づくコンテンツ連動型広告の処理をサポートできるステータスアップデート状況広告エンジン２０００の１つの実施形態を示す図である。
【発明を実施するための形態】
【０００９】
以下、特定のトピックに関する媒体を選択して提示するための方法及び装置のブロック図及び動作説明図を参照しながら本発明について説明する。なお、ブロック図又は動作説明図の各ブロック、及びブロック図又は動作説明図におけるブロックの組み合わせは、アナログ又はデジタルハードウェア及びコンピュータプログラム命令により実施することができる。
【００１０】
これらのコンピュータプログラム命令を、汎用コンピュータ、専用コンピュータ、ＡＳＩＣ、又はその他のプログラマブルデータ処理装置のプロセッサに提供することにより、これらのコンピュータ又はその他のプログラマブルデータ処理装置のプロセッサを介して実行される命令が、ブロック図又は動作ブロック又は複数のブロック内に指定する機能／動作を実施するようにすることができる。
【００１１】
他のいくつかの実施構成では、ブロック内に示す機能／動作を、動作説明図に示す順序とは違う順序で実行することができる。例えば、連続して示す２つのブロックを事実上ほぼ同時に実行することができ、或いは関連する機能／動作によってはブロックを逆の順序で実行できる場合もある。
【００１２】
本開示では、「サーバ」という用語は、処理、データベース及び通信機能を提供するサービスポイントを意味すると理解されたい。一例として、及び限定でなく、「サーバ」という用語は、関連する通信機能及びデータ記憶機能及びデータベース機能を有する単一の物理プロセッサ、或いはネットワーク化又はクラスタ化されたプロセッサ及び関連ネットワーク及び記憶装置の複合体、並びにサーバが提供するサービスをサポートするオペレーティングソフトウェア及び１又はそれ以上のデータベースシステム及びアプリケーションソフトウェアを意味することができる。
【００１３】
本開示では、「エンドユーザ」又は「ユーザ」という用語は、データプロバイダが提供するデータの消費者を意味すると理解されたい。一例として、及び限定でなく、「エンドユーザ」という用語は、ブラウザセッションにおいてデータプロバイダがインターネットを介して提供するデータを受信する人物、或いはデータを受信して記憶又は処理する自動ソフトウェアアプリケーションを意味することができる。
【００１４】
本開示では、コンピュータ可読媒体が、コンピュータデータを機械可読形式で記憶する。一例として、及び限定でなく、コンピュータ可読媒体は、コンピュータ記憶媒体及び通信媒体を含むことができる。コンピュータ記憶媒体は、コンピュータ可読命令、データ構造、プログラムモジュール又はその他のデータなどの情報を記憶するための、あらゆる方法又は技術で実現される揮発性及び不揮発性、取り外し可能及び取り外し不能媒体を含む。コンピュータ記憶媒体としては、以下に限定されるわけではないが、ＲＡＭ、ＲＯＭ、ＥＰＲＯＭ、ＥＥＰＲＯＭ、フラッシュメモリ又はその他の固体メモリ技術、ＣＤ−ＲＯＭ、ＤＶＤ、又はその他の光学記憶装置、磁気カセット、磁気テープ、磁気ディスク記憶装置又はその他の大容量記憶装置、或いは所望の情報を記憶するために使用でき、コンピュータがアクセスできる他のいずれかの媒体が挙げられる。
【００１５】
本開示では、モジュールとは、本明細書で説明する処理、特徴及び／又は機能を（人間による介入又は増強の有無に関わらず）実行又は容易化するソフトウェア、ハードウェア、又はファームウェア（或いはこれらの組み合わせ)システム、処理又は機能、又はこれらの構成要素のことである。モジュールは、サブモジュールを含むことができる。モジュールのソフトウェア構成要素は、コンピュータ可読媒体に記憶することができる。モジュールは、１又はそれ以上のサーバに不可欠なものとすることができ、或いは１又はそれ以上のサーバがこれをロードして実行することができる。１又はそれ以上のモジュールは、エンジン又はアプリケーションにグループ化することができる。
【００１６】
本発明は、ユーザへ送信された又はユーザにより送信されたステータスメッセージを使用して特定されるユーザのステータスアップデート状況によって明らかになったユーザの社会的状況に基づいてユーザにターゲット広告を導くためのシステム及び方法に関する。１つの実施形態では、ユーザ固有のステータスメッセージ及び／又はユーザの接触先のステータスメッセージによって広告がトリガされる。
【００１７】
ユーザの社会的状況は、ユーザが何らかの形の関係を有する人物の全体集合として制限なく定義することができる。ユーザの社会的接触先は、ユーザの潜在的な興味に関する重要な情報源、並びにユーザを取り巻く別様には利用できなかったであろう影響を表すことができる。ユーザの社会的接触先は、ＦａｃｅＢｏｏｋ及びＭｙＳｐａｃｅ又はその他の社会的に認識されたメッセージングサービスなどのソーシャルネットワーキングウェブサイト上にユーザが明示的にリストする接触先を分析することによって少なくとも部分的に特定することができる。
【００１８】
ユーザのプロファイル情報、及びユーザの接触先に関するプロファイル情報により、ユーザの社会的状況をかなり明らかにすることができるが、ユーザとユーザの社会的接触先との間で送信されたステータスメッセージからさらに多くの情報を収集することができる。ユーザが、ステータスメッセージを送信又は受信できる１又はそれ以上のソーシャルネットワーキングサービス又はその他のサービスを利用してはいるが、ステータスメッセージの入力はめったに行わないという場合でも、ユーザの接触先が送信するステータスメッセージにより、ユーザの社会的状況を見抜くことができる。ソーシャルネットワーキングサイト上のユーザの社会的接触先が、特定のトピックに関するステータスメッセージを頻繁にブロードキャストする場合、ユーザがこのトピックに同様の興味を持っている可能性、又は将来的にこのトピックへの興味を示す可能性が高い。
【００１９】
ユーザとユーザの社会的接触先との間の通信パターンを分析することにより、より多くの情報を収集することができる。例えば、ユーザがユーザの社交集団へ送信したステータスメッセージには、ユーザが受信したメッセージよりも高い重みを与えることができる。ユーザが応答したメッセージにも、より高い重みを与えることができる。ユーザが頻繁にメッセージを交換している接触先からのメッセージにも、より高い重みを与えることができる。メッセージの内容に基づいてユーザと同様の興味を持っているように思える接触先からのメッセージにも、より高い重みを与えることができる。
【００２０】
ソーシャルウェブサイト、ＢＬＯＧ上で利用可能なプロファイルデータ、及びソーシャルネットワーキングサイト上のユーザ間の規定の関係の特性などの、ウェブを介して利用可能なユーザの接触先に関する空間的、時間的、人口統計的、及びトピック的特徴を分析することにより、より多くの情報を集めることができる。例えば、人口統計的にユーザに類似する接触先には、より高い重みを与えることができる。友人として明示的にリストされた接触先には、取引相手としてリストされた接触先よりも高い重みを与えることができる。現在同じ地理的地域に存在する接触先には、遠隔地域に存在する接触先よりも高い重みを与えることができる。
【００２１】
その後、このようなステータスアップデート状況データを使用して、ウェブページ上のディスプレイ広告、フラッシュ広告のオーバーレイ、電子メール又はステータスメッセージなどの好適な方法でユーザにターゲット広告を導くことができる。
【００２２】
１つの実施形態では、広告が、ユーザが受信するステータスメッセージのみに基づくことができる。例えば、ユーザが、Ｔｗｉｔｔｅｒのメッセージングサービスのアカウントを有しており、スポーツカーに関する数多くのメッセージを受信している場合、このユーザにはスポーツカーに関する広告を送信することができる。このユーザは決してサービスにメッセージを入力していないかもしれないが、ユーザが受信したメッセージは、ユーザの友人又は知人にスポーツカーに強い興味を持つ者がいることを強く示唆している。このことは、ユーザがスポーツカーに興味を持っている可能性があり、又はスポーツカーに興味を持つようになるであろうことを意味する。
【００２３】
このようなターゲット広告を使用して、特定のブランド又は製品と競合させることができる。例えば、ユーザがＮｉｋｅ製のランニングシューズに関するいくつかのメッセージを受信した場合、このユーザにＮｅｗ  Ｂａｌａｎｃｅブランドのランニングシューズのターゲット広告を送信することができる。このユーザは決してサービスにメッセージを入力していないかもしれないが、ユーザが受信したメッセージは、ユーザの友人又は知人に、Ｎｉｋｅブランドのランニングシューズを所持しており、Ｎｅｗ  Ｂａｌａｎｃｅブランドのランニングシューズの特徴又は利点を知らない可能性のある者がいることを強く示唆している。
【００２４】
１つの実施形態では、ターゲット広告が、ユーザ固有のステータスメッセージに基づくことができる。ユーザが、「Ｎｉｋｅ製のシューズは素晴らしい」という旨のメッセージを送信した場合、このユーザに、Ｎｉｋｅブランドのシューズ又は競合するシューズの広告などのランニングシューズに関する広告を送信することができる。ユーザと特定の接触先との間の類似性を考慮することもできる。例えば、ユーザと、アリスという接触先とが猫に関するステータスメッセージを多く有しており、一方でトムという接触先が犬に関するステータスメッセージを有している場合、アリスの方がユーザとの類似性が高いと推測することができる。ターゲット広告は、トムからのメッセージの内容ではなくアリスからのメッセージ内容に合わせて作成される。
【００２５】
１つの実施形態では、複数の接触先にわたって共通するトピックに関するターゲット広告をユーザへ送信することができる。アリスとトムが両方とも車の話題に多くの時間を費やしている場合、ユーザも車好きである可能性が高いと推測することができ、ユーザに車に関するターゲット広告を送信することができる。１つの実施形態では、広告のターゲティングがソーシャルステータスメッセージに基づくことができ、このソーシャルステータスメッセージは、社会的関係の強度、種類、及び／又は関連性を含む、ステータステキストの投稿者と読者との間の社会的関係、並びにさらなる空間的、時間的、人口統計的及びトピック的特徴の分析に基づくことができる。
【００２６】
１つの実施形態では、ユーザに、広告をトリガした接触先と広告を共有し、又はこれらの接触先に広告を推薦する能力を与えることができる。例えば、アリスがＡｍａｚｏｎを推薦した場合のステータスメッセージに基づいて、ユーザが「Ａｍａｚｏｎで１０％引き」という広告を取得した場合、ユーザはこの広告をアリスへ転送し、又はアリスと共有することができる。
【００２７】
１つの実施形態では、ユーザのステータスアップデート状況により明らかになったユーザの社会的状況に基づいて広告をターゲティングするためのシステムが、以下のいくつかの利点を有することができる。
・システムは、ユーザの暗黙的ソーシャルグラフを確定するために、そのソーシャルネットワークをセットアップすること又は自動分析をトリガすること以上のユーザ入力を必要としない。
・システムは、ソーシャルステータスメッセージを「口コミ」又はバイラルマーケティングとして使用することができる。ユーザは、友人からの推薦を見た後に製品を信用する可能性が高い。
・システムは、公開／半公開データを使用する。ステータスメッセージは、個人対個人のパーソナルメッセージではない。Ｔｗｉｔｔｅｒ及びＰｏｗｎｃｅのメッセージングサービスなどの多くの場合、ステータスメッセージは、公開メッセージ、又は最低でもソーシャルネットワーク全体へブロードキャストされるメッセージのいずれかである。これにより、サードパーティがユーザのパーソナルデータを「のぞき見」しているかもしれないという懸念を取り除くことができる。
・また、一般にユーザは、１日のうちに大量のステータスメッセージを読み、これにより貨幣化できる大量の状況目録を得ることができる。
【００２８】
このシステムは、他の種類の状況に基づく広告を提供する他のサービスと区別することができる。例えば、ＧｏｏｇｌｅのＧｍａｉｌでは、個人の電子メールメッセージに基づくコンテンツ連動型広告が示される。一方で、ソーシャルステータスメッセージに基づく広告は公開又は半公開データを示し、同じようなプライバシーに対する懸念を生じることはない。また、ステータスメッセージは、送信者からの明示的な送信及びアドレス指定動作が必要な電子メールではなく、あるユーザがあるユーザからのステータスメッセージを明示的に求める加入モデルに基づく。最後に、ステータスメッセージはブロードキャスト用に設計されており、電子メールメッセージとは内容が全く異なる。
【００２９】
ＲＳＳフィードによっては広告を含むことができるものもある。これらの広告は、フィードの作者がＲＳＳフィードに挿入するコンテンツ連動型広告である。このような広告は送信者の状況のみに基づき、受信者のことを考慮せず、複数のフィードを考慮していない。
【００３０】
広告は、インスタントメッセージング（ＩＭ）サービスによってサポートすることができる。例えば、Ｙａｈｏｏ！メッセンジャーＹＱでは、メッセージの文脈に基づいてＩＭの会話に挿入されるリンクが提供される。この場合も、これらは個人的な１対１の通信であり、公的な状態ではない。Ｔｗｉｔｔｅｒメッセージングサービスでは、送信者が自身のＴｗｉｔｔｅｒストリームに広告を挿入することができる。このサービスは、受信者又は複数のフィードを考慮に入れていない。
【００３１】
ディスカッションフォーラム又はＢＬＯＧポスト内に広告を掲示することもできる。しかしながら、このような広告は純粋にテキストコンテンツに基づくものであり、社会的関係を全く考慮に入れていない。また、通常、ユーザは自身のソーシャルネットワーク内の人々に近いので、ユーザにとってディスカッションフォーラムは一般にソーシャルネットワークよりも重要度が低い。
【００３２】
図１は、ステータスメッセージに基づくコンテンツ連動型広告システムの少なくとも１つの実施形態をサポートできるシステムの構成要素を示す高レベル図である。
【００３３】
ユーザ１００は、ＰＤＡ、インターネット対応電話、ラップトップ又はデスクトップコンピュータなどのネットワーク接続可能装置１２０を使用してインターネットに接続される。ユーザ１００は、１又はそれ以上のソーシャルネットワーク３００〜３ｎｎのメンバである。このようなネットワークは、ＦａｃｅＢｏｏｋ、ＭｙＳｐａｃｅ又はＬｉｎｋｅｄＩｎウェブサイトなどの、とりわけユーザがステータスメッセージを送受信できるソーシャルネットワーキングウェブサイト上で定義することができる。ユーザ１００は、Ｔｗｉｔｔｅｒウェブサイトなどの、とりわけユーザがステータスメッセージを送受信できる１又はそれ以上のステータスアップデートサービス４００のメンバであってもよい。ユーザ１００は、ユーザがメッセージを送受信できるその他のウェブベースのサービスを利用することもできる。このようなサービスは、読者がコンテンツを投稿できるディスカッショングループ及びパーソナルＢＬＯＧを含むことができる。
【００３４】
ユーザは、ソーシャルネットワーク３００及びステータスアップデートサービス４００における１又はそれ以上の人物５００と関係がある。この関係の特性は、ソーシャルネットワーク３００及びステータスアップデートサービス４００の特性に基づいて様々であってよく、例えばこの関係は、友人、親戚又は取引相手であってもよい。しかしながら、個々の人物５００は、ソーシャルネットワーク３００、又はステータスアップデートサービス４００、或いはこれらの両方を介してユーザ１００との間でステータスメッセージ５２０を送受信することができる。ステータスメッセージ５２０は公開又は半公開であり、すなわち不特定多数の人々（一般の人々）、又はユーザがサービス３００及び４００において関連する人物５００の全部又は一部（一部の人々）がこれらのメッセージを見ることができる。このメッセージは、ユーザ１００へ明示的に送信されるメッセージであってもよく、或いはユーザが加入しているグループへ発行されたメッセージ、又はユーザが加入しているソースからのメッセージであってもよい。
【００３５】
ユーザ１００は、インターネット２００を介して定期的にサービス３００及び４００にアクセスして、とりわけユーザのソーシャルネットワーク内の人物５００がユーザへ送信したステータスメッセージを見ることができる。ユーザ１００は、ユーザのソーシャルネットワーク内の人物５００へ、非請求メッセージとして又はユーザが受信したメッセージに対する応答としてステータスメッセージ１４０を送信することができる。一方で、ユーザ１００が決してステータスメッセージを送信せず、又はステータスメッセージに応答しない可能性もある。また、ユーザ１００は、一般の人々又はユーザのソーシャルネットワークの他のメンバが見ることができるプロファイル情報をウェブサイト上に保持することもできる。また、ユーザは、ユーザとユーザのソーシャルネットワーク内の人物５００との関係の特性に関する追加の詳細を提供することもできる。
【００３６】
ユーザ１００が送信又は受信したステータスメッセージ１４０及び５４０は、ステータスメッセージに基づく広告サービス６００によりサービス３００及び４００からインターネットを介して検索される。ステータスメッセージに基づく広告サービス６００は、ステータスメッセージ１４０及び５４０を継続的に又は定期的に検索することができる。ユーザは、ステータスメッセージに基づく広告サービス６００がユーザのステータスメッセージ１４０及び５４０を検索するための権限を明示的に承諾しておくことができる。或いは、サービス３００及び４００の利用規約により、ステータスメッセージに基づく広告サービス６００がユーザのステータスメッセージ１４０及び５４０を検索することを承諾するようにユーザに求めることもできる。
【００３７】
１又はそれ以上の広告主７００は、ステータスメッセージに基づく広告サービス６００のアカウントを有する。広告主７００は、広告主の製品又はサービスに興味がある可能性のあることを示すステータスメッセージを有する人物に送信するターゲット広告を定めることができる。ユーザのステータスメッセージ１４０及び５４０を分析して（以下でより詳細に説明する）、１又はそれ以上のターゲット広告がユーザに関連するかどうか、又は関連する可能性があるかどうかを判断する。選択した広告を、デジタルコンテンツの配信に適したいずれかの従来の方法を使用してユーザ１００へ送信する。例えば、ユーザがソーシャルネットワーキングウェブサイト３００又はマイクロブロギングウェブサイト４００にログオンしたときにユーザ１００に広告を表示することができる。或いは、電子メール、インスタントメッセージ又はその他の媒体を使用してユーザへ広告を送信することができる。
【００３８】
ステータスメッセージに基づく広告サービス６００は、ユーザ１００が、このサービスがユーザに送信した広告とやりとりしたときに通知を受ける。このようなやりとりとして、広告を表示すること、広告にマウスを合わせること、広告をクリックすること、広告をダブルクリックすること、広告をドラッグアンドドロップすること、広告のサイズを変更すること、広告を閉じることなどを挙げることができる。
【００３９】
送信した広告を作成した広告主７００は、ステータスメッセージに基づく広告サービスプロバイダ６００により、このプロバイダとの契約に基づいて課金される。広告主７００は、コストパークリック（ＣＰＣ）及びコストパーインプレッション法を含むことができるいずれかの従来のインターネット広告課金法を使用して課金される。
【００４０】
図２は、ソーシャルステータスメッセージに基づくコンテンツ連動型広告のための処理１００の１つの実施形態を示す図である。
【００４１】
１又はそれ以上の社会的に認識されたメッセージングサービスを介してユーザへ送信された複数のステータスメッセージを、例えばインターネットなどのネットワークを介して検索する１１００。１つの実施形態では、ユーザが社会的に認識されたメッセージングサービスのメンバであり、サービスの各々に対して少なくとも１つの社会的接触先を定義している。定義される社会的接触先は、例えば、友人、親戚及び取引相手などの、社会的に認識されたメッセージングサービスによりサポートされるあらゆる種類の関係を含むことができる。１つの実施形態では、ユーザの定義した社会的接触先がユーザへ送信したメッセージのみが検索される。１つの実施形態では、ユーザの定義した社会的接触先の１又はそれ以上へユーザが送信したステータスメッセージも検索される。
【００４２】
１つの実施形態では、メッセージの内容を分析することにより、ユーザ間の関係を特定することができる。例えば、（夕食会などの）社会活動に関して定期的に連絡するユーザは友人として定義することができる。
【００４３】
社会的に認識されたメッセージングサービスによりサポートされるいずれかの方法によってメッセージを検索することもできる。１つの実施形態では、処理１０００が個々の社会的に認識されたメッセージングサービスにログオンし、サービスが一般ユーザに提供する（プロファイルウェブページなどの）機能を介してユーザのメッセージを見ることができる。１つの実施形態では、社会的に認識されたメッセージングサービスがＡＰＩを提供することができ、これを介して処理１０００がサイトのユーザに関するデータを検索することができる。１つの実施形態では、社会的に認識されたメッセージングサービスが、ＲＳＳフィード又はサイトのユーザに関する他の形のプッシュ型データ配信を処理１０００に提供することができる。メッセージの内容は、あらゆる形のデジタルコンテンツであってよい。通常、このコンテンツはテキストを含むが、（「顔文字」記号などの）感情を表す記号、或いはグラフィック又はメディアオブジェクトを含むこともできる。
【００４４】
処理１０００は、メッセージの検索を行う社会的に認識されたメッセージングサービスをいくつかの異なる方法で知るようになる。ユーザは、ステータスアップデート状況に基づく広告サービスに明示的に参加して、処理１０００でメッセージを検索すべきソーシャルネットワーキングサイト又はその他のステータスメッセージサービスを定義することができる。ユーザは、ソーシャルネットワーキングサイトに参加することで、ステータスアップデート状況に基づく広告サービスに自動的に登録することができる。インターネットを介して利用可能な公開データを自動化処理によってさらに検索して、ユーザの暗黙的ソーシャルグラフを識別しようと試みることができる。ユーザは、処理１０００がユーザのステータスメッセージ１４０を検索するための権限を明示的に承諾することができる。或いは、社会的に認識されたメッセージングサービスの１又はそれ以上の利用規約により、ステータスメッセージに基づく広告サービスがユーザのステータスメッセージを検索することを承諾するようにユーザに求めることもできる。
【００４５】
検索処理１１００を定期的に又は継続的に（すなわちリアルタイムで）実行して、ユーザのステータスメッセージを所望の頻度で検索することができる。１つの実施形態では、ソーシャルネットワーキングウェブサイトへのユーザログオンなどのイベントによって検索処理１１００をトリガすることができる。
【００４６】
次に、ステータスメッセージを分析して、ユーザの現在のステータスアップデート状況を特定する１２００。ユーザのステータスアップデート状況は、ユーザと現在のソーシャルネットワークとのやりとりを介してユーザが受ける影響の全体集合及びこのような影響の相対的強度として広義に定義することができる。例えば、ユーザの友人のうちの１人が、気に入ったランニングシューズブランドなどの特定のトピックに強い興味又は意見を持つ場合がある。ユーザは、例えばステータスメッセージ内のコメントによってユーザの友人の興味に触れ、これらに影響を受ける可能性がある。ユーザの友人が親しい友人である場合、このような影響の相対的強度は、ユーザの友人がちょっとした知り合いである場合よりも強くなる可能性がある。
【００４７】
１つの実施形態では、ユーザのステータスアップデート状況が、ユーザが１又はそれ以上のソーシャルネットワーキングサイトを介してユーザの接触先との間で送受信するステータスメッセージ内に存在する又は暗示される社会的データ、トピックデータ、空間データ及び時間データの全体集合を含む。
【００４８】
社会的データは、ユーザと、ユーザにメッセージを送信する接触先との間の関係の強さ及び種類に関するデータである。ユーザと接触先との間で共有される関係の種類は、友人、親戚、同僚、仕事上の見込み客などのように、社会的に認識されたメッセージングサービスのソースに明示的に定義することができる。ユーザと接触先との間で共有される関係の種類は、ユーザと接触先との間で送信されるメッセージの内容によって推測することができ、例えば仕事の取引に関するメッセージは仕事上の関係を示す。
【００４９】
関係の強さは、親友などのように、社会的に認識されたメッセージングサービスのソースに明示的に定義することができる。関係の強さは、接触先がユーザに送信したメッセージの頻度、又は接触先が送信したメッセージにユーザが応答する頻度によって推測することができる。関係の強さは、ユーザと接触先との間の共通点によって推測することもできる。例えば、接触先及びユーザが同じ地理的地域に存在することがあり、ほぼ同じ年齢であることもあり、或いはユーザ及び接触先の両方が同じトピックに関するメッセージを送信することもある。関係の強さは、ユーザ間の接触の頻度、又はメッセージの内容によって推測することもできる。
【００５０】
トピックデータは、ステータスメッセージ内で話題になったトピックに関するデータである。トピックは、著名人、ユーザ及び送信元の接触先が知っている第三者、或いは店員又は（医者、歯医者などの）専門家などの特定のサービス提供者などの人物を示し、又はこれらに関連することができる。トピックは、企業、スポーツチーム、慈善団体、レストラン、バー及びクラブなどの実体を示し、又はこれらに関連することもできる。トピックは、消費財のブランド又は種類を示し、又はこれらに関連することもできる。トピックは、音楽のジャンル、文学の種類、宗教又は哲学的概念などの抽象的観念又はカテゴリを示し、又はこれらに関連することもできる。トピックは、送信者の感情状態又は身体的健康状態を示し、又はこれらに関連することもできる。
【００５１】
時間データは、ステータスメッセージ内で具体化される観念に関する日付及び時間に関するデータである。時間データは、現在の日付及び時間に関連することができ、過去又は将来の特定の日付及び時間、或いは過去又は将来の日付及び時間の範囲であってもよい。時間データは、例えば過去１０日間などの、特定の日付からのずれに関連することもできる。時間データは、誕生日、季節又は休日などのカレンダー上のイベント、或いはお気に入りのスポーツチームが最後に優勝したときなどのニュース内のイベントに関連することもできる。
【００５２】
空間データは、物理的位置に関するデータである。空間データは、接触先の現在の位置に関連することができる。空間データは、国、州、市、近所などの特定の場所に関連することもできる。空間データは、コンサート又は他の何らかの報道価値のある出来事などのイベントの場所に関連することもできる。空間データは、ブルース又はジャズクラブなどの興味のある場所の概要に関連することもできる。
【００５３】
分析処理１２００を定期的に又は継続的に（すなわちリアルタイムで）実行して、ユーザの現在のステータスアップデート状況を所望の頻度で更新することができる。１つの実施形態では、分析処理１２００を、ソーシャルネットワーキングウェブサイトへのユーザログオンなどのイベントによってトリガすることができる。
【００５４】
次に、ユーザのステータスアップデート状況を１又はそれ以上のターゲット広告にマッチさせる１４００。１つの実施形態では、ターゲット広告がコンピュータ可読媒体に記憶され、広告主の識別情報と、（ディスプレイ広告、フラッシュムービー又はテキストメッセージなどの）少なくとも１つの広告と、少なくとも１つのターゲティング基準を含むターゲティングプロファイルとを含む。ターゲティング基準は、広告をターゲティングする顧客のステータスアップデート状況を定義する社会的、トピック的、空間的又は時間的基準のあらゆる組み合わせを含むことができる。１つの実施形態では、ユーザのステータスアップデート状況をターゲット広告のターゲティング基準にマッチさせる。
【００５５】
社会的ターゲティング基準は、特定の関係又は関係のパターンを対象とする。例えば、ターゲティング基準は、「友人」、「親戚」、又は「仕事上の見込み客」などの関係の種類を対象とすることができる。ターゲティング基準は、「親友」などの強力な関係と思われる関係、ユーザと共通する多くの興味を共有していると思われる接触先、又はユーザがメッセージに頻繁に応答する接触先を対象とすることができる。
【００５６】
トピック的ターゲティング基準は、特定のトピック又は一般的なトピックを対象とする。例えば、特定のトピックは、特定の音楽アーティストなどの特定の人物、又は全ての音楽アーティストなどの一般的な種類の人物に関連することができる。ターゲティング基準は、特定の企業又は組織などの特定の実体を対象とすることができ、又は企業、スポーツチーム、慈善団体、レストラン、バー及びクラブなどの一般的な種類の実体に関連することができる。ターゲティング基準は、特定のブランド又は一般的な種類の消費財を対象とすることもできる。ターゲティング基準は、抽象的な観念、又は音楽のジャンル、文学の種類、宗教又は哲学的概念などの抽象的な観念のカテゴリを対象とすることもできる。ターゲティング基準は、送信者の明らかな感情状態又は明らかな身体的健康状態を対象とすることもできる。
【００５７】
トピック的ターゲティング基準は、特定の又は相対的な日付及び時間を対象とする。トピック的ターゲティング基準のターゲットは、現在の日付及び時間を対象とすることができ、過去又は将来の特定の日付及び時間を対象とすることができ、或いは過去又は将来における日付及び時間の範囲を対象とすることができる。時間的ターゲティング基準は、例えば過去１０日間などの特定の日付を対象とすることもできる。時間的ターゲティング基準は、誕生日、季節又は休日などのカレンダー上のイベント、或いはお気に入りのスポーツチームが最後に優勝したときなどのニュース内のイベントを対象とすることもできる。
【００５８】
空間的ターゲティング基準は、特定の又は一般的な物理的位置を対象とする。空間的ターゲティング基準は、特定の接触先の現在の位置を対象とすることができる。空間的ターゲティング基準は、国、州、市、近所などの特定の場所を対象とすることもできる。空間的ターゲティング基準は、コンサート又は他の何らかの報道価値のある出来事などのイベントの場所を対象とすることもできる。空間的ターゲティング基準は、ブルース又はジャズクラブなどの、一般的な種類の興味のある場所を対象とすることもできる。
【００５９】
ターゲティング基準は、データ頻度又は配信基準をさらに含むことができる。データ頻度基準は、少なくとも閾値数のメッセージ内に特定の社会的、トピック的、時間的又は空間的ターゲティング基準又は基準の集合が出現しなければならないことを規定することができる。例えば、自動車メーカーは、先月少なくとも１０通の自動車関連のメッセージを受信したユーザのみを対象にしたいと望むことができる。データ配信基準は、特定の統計的特性を有する一群のメッセージ内に特定の社会的、トピック的、時間的又は空間的ターゲティング基準が出現しなければならないことを規定することができる。例えば、音楽ダウンロードサービスは、ユーザが友人として定義している少なくとも３人の異なる接触先から少なくとも１０通のメッセージを受信したユーザのみを対象にしたいと望むことができる。別の例では、旅行サービスが、少なくとも２つの異なるソーシャルネットワーキングサイトから旅行に関する少なくとも１０通のメッセージを受信したユーザのみを対象にしたいと望むことができる。
【００６０】
マッチング処理１４００を定期的に又は継続的に（すなわちリアルタイムで）実行して、ユーザの現在のステータスアップデート状況をターゲット広告に所望の頻度でマッチさせることができる。１つの実施形態では、マッチング処理１４００を、ソーシャルネットワーキングウェブサイトへのユーザログオンなどのイベントによってトリガすることができる。
【００６１】
次に、マッチしたターゲット広告をユーザへ送信する１６００。このマッチしたターゲット広告は、デジタルコンテンツの配信に適したあらゆる従来の方法によってユーザへ送信することができる。例えば、ユーザがソーシャルネットワーキングウェブサイト又はマイクロブロギングウェブサイトにログオンしたときにユーザに広告を表示することができる。或いは、電子メール、インスタントメッセージ、ＳＭＳ又はその他の媒体を使用してユーザへ広告を送信することができる。
【００６２】
広告は、広告をトリガしたソーシャルグラフ情報を含むことができる。１つの実施形態では、広告をトリガしたメッセージの発信元である接触先を、自動的に、又は広告を右クリックすることなどのユーザインターフェイスイベントの発生時に広告とともに表示することができる。１つの実施形態では、ユーザが、広告をトリガした接触先と広告を共有し、又はこれらの接触先に広告を推薦することができる。
【００６３】
この処理では、送信した広告をユーザが表示し、又はこの広告と別様にやりとりしたときに、この広告に関連するユーザインターフェイスイベントの通知を受け取る１８００。このようなイベントとして、広告を表示すること、広告にマウスを合わせること、広告をクリックすること、広告をダブルクリックすること、広告をドラッグアンドドロップすること、広告のサイズを変更すること、広告を閉じることなどを挙げることができる。
【００６４】
１つの実施形態では、ターゲット広告の少なくともいくつかが、広告に関連するユーザインターフェイスイベントが発生したときに広告に課される料金をさらに含む。このような場合、ターゲット広告を作成した広告主は、ユーザインターフェイスイベントが発生したという通知を受け取ったときに料金を課金される１９００。１つの実施形態では、コストパークリック（ＣＰＣ）及びコストパーインプレッション法を含むことができるいずれかの従来のインターネット広告課金法を使用して広告主に課金することができる。
【００６５】
図３は、図２に示すソーシャルステータスメッセージに基づくコンテンツ連動型広告の処理をサポートできるステータスアップデート状況広告エンジン２０００の１つの実施形態を示す図である。１つの実施形態では、図１のステータスメッセージに基づく広告サービス６００により提供されるサーバが、ステータスアップデート状況広告エンジン２０００をホストすることができる。
【００６６】
ステータスアップデート状況広告エンジン２０００は、メッセージ検索モジュール２１００と、メッセージ分析モジュール２２００と、広告マッチングモジュール２４００と、広告送信モジュール２６００と、広告収入モジュール２８００とを含む。１つの実施形態では、これらのモジュールが、コンピュータ可読媒体に記憶されたコンピュータ実行可能コードである。
【００６７】
メッセージ検索モジュール２２００は、社会的に認識されたメッセージングサービスのメンバであるとともに少なくとも１つの社会的接触先をサービス内に定義しているユーザへ、少なくとも１つの社会的に認識されたメッセージングサービスを介してこのユーザの社会的接触先の少なくとも１つにより各々が送信された複数のステータスメッセージをネットワークを介して検索するように構成される。メッセージ検索モジュール２２００によって検索されるステータスメッセージは、ユーザが、社会的に認識されたメッセージングサービスを介してユーザの社会的接触先の少なくとも１つへ送信したステータスメッセージをさらに含むことができる。
【００６８】
メッセージ分析モジュール２２００は、メッセージ検索モジュールにより検索されたステータスメッセージを分析して、ユーザのステータスアップデート状況を特定するように構成される。１つの実施形態では、ユーザのステータスアップデート状況が、ユーザが１又はそれ以上の社会的に認識されたメッセージングサービスを介してユーザの接触先との間で送受信した複数のステータスメッセージ内に存在する社会的データ、トピックデータ、空間データ及び時間データの集合を含む。
【００６９】
１つの実施形態では、ユーザのステータスアップデート状況における社会的データが、ユーザと、ユーザにステータスメッセージを送信した社会的接触先との間の関係の強さ及び種類に関するデータを含む。１つの実施形態では、メッセージ分析モジュールが、ユーザが少なくとも１つのソーシャルネットワーキングサイト上に保持する関係の定義を使用して、ユーザと社会的接触先との間の関係の強さを求めることができる。
【００７０】
１つの実施形態では、メッセージ分析モジュール２２００が、ユーザがソーシャルネットワーキングサイト上に保持する関係の定義を使用して、ユーザと社会的接触先との間の関係の強さを求める。１つの実施形態では、メッセージ分析モジュールが、ユーザと社会的接触先との間のメッセージの頻度を使用して、ユーザと社会的接触先との間の関係の強さを求める。１つの実施形態では、メッセージ分析モジュールが、ユーザ及び少なくとも１つの社会的接触先が送信したステータスメッセージ内のトピックデータの類似性を使用して、ユーザと社会的接触先との間の関係の強さを求める。
【００７１】
１つの実施形態では、ユーザのステータスアップデート状況におけるトピックデータが、メッセージ検索モジュール２２００により検索されたステータスメッセージ内で話題になったトピックに関連するデータを含む。１つの実施形態では、ユーザのステータスアップデート状況における時間データが、メッセージ検索モジュール２２００により検索されたステータスメッセージ内の日付及び時間に関するデータを含む。１つの実施形態では、ユーザのステータスアップデート状況における空間データが、メッセージ検索モジュール２２００により検索されたステータスメッセージ内の物理的位置に関するデータを含む。
【００７２】
広告マッチングモジュール２４００は、（メッセージ分析モジュールにより特定された）ユーザのステータスアップデート状況を、コンピュータ可読媒体に記憶された少なくとも１つのターゲット広告にマッチさせるように構成される。１つの実施形態では、個々のターゲット広告が、広告主の識別情報と、（ディスプレイ広告、テキスト広告又はフラッシュムービーなどの）少なくとも１つの広告と、少なくとも１つのターゲティング基準を含むターゲティングプロファイルとを含む。このターゲティング基準をユーザのステータスアップデート状況にマッチさせる。
【００７３】
ターゲティング基準は、社会的ターゲティング基準、トピック的ターゲティング基準、時間的ターゲティング基準及び空間的ターゲティング基準を含むことができる。少なくとも１つのターゲティング基準は、少なくとも１つのデータ頻度基準を含むことができる。例えば、データ頻度基準は、メッセージ検索モジュール２２００により検索された閾値数のステータスメッセージが、特定の社会的ターゲティング基準、トピック的ターゲティング基準、時間的ターゲティング基準又は空間的ターゲティング基準に関連していなければならないことを規定することができる。
【００７４】
ターゲティング基準はデータ配信基準を含むことができる。例えば、データ配信基準は、メッセージ検索モジュール２２００がユーザの少なくとも２つの社会的接触先から検索した閾値数のステータスメッセージ内に特定の社会的ターゲティング基準、トピック的ターゲティング基準、時間的ターゲティング基準、又は空間的ターゲティング基準が出現しなければならないことを規定することができる。データ配信基準は、メッセージ検索モジュール２２００が少なくとも２つの社会的に認識されたメッセージングサービスから検索した閾値数のステータスメッセージ内に特定の社会的ターゲティング基準、トピック的ターゲティング基準、時間的ターゲティング基準又は空間的ターゲティング基準が出現しなければならないことを規定することもできる。
【００７５】
広告送信モジュール２６００は、マッチするターゲット広告をネットワークを介してユーザへ送信するように構成される。このマッチするターゲット広告は、デジタルコンテンツの配信に適したいずれかの従来の方法を使用してユーザへ送信することができる。例えば、ユーザがソーシャルネットワーキングウェブサイトにログオンしたときにユーザに広告を表示することができる。或いは、電子メール、インスタントメッセージ又はその他の媒体を使用してユーザへ広告を送信することもできる。
【００７６】
１つの実施形態では、少なくともいくつかのターゲット広告が、ターゲット広告に関連するユーザインターフェイスイベントが発生したときに広告主に課される料金をさらに含む。１つの実施形態では、広告収入モジュール２８００が、ターゲット広告に関連するユーザインターフェイスイベントが発生して、広告を掲示した広告主に広告料金を課金したという通知をネットワークを介して受信するように構成される。
【００７７】
当業者であれば、本開示の方法及びシステムを多くの態様で実現することができ、従ってこれらを前述の例示的な実施形態及び実施例によって限定すべきではないことを理解するであろう。換言すれば、単一の又は複数の構成要素により、ハードウェア及びソフトウェア又はファームウェアの様々な組み合わせで実行される機能要素、及び個々の機能を、ソフトウェアアプリケーション間でクライアントレベル又はサーバレベルのいずれか又はこれらの両方で分散することができる。この点に関し、本明細書で説明したあらゆる数の様々な実施形態の特徴を単一の又は複数の実施形態に組み合わせることができ、また本明細書で説明した全ての特徴よりも少ない又は多くの特徴を有する他の実施形態も可能である。機能の全体又は一部を、現在知られている又は知られるようになる方法で複数の構成要素間で分散することもできる。従って、本明細書で説明した機能、特徴、インターフェイス及び優先傾向を実現する上で、ソフトウェア／ハードウェア／ファームウェアの無数の組み合わせが可能である。さらに、本開示の範囲は、説明した特徴及び機能及びインターフェイスを実施するための従来既知の方法、並びに現在及び今後当業者が理解するであろうような、本明細書で説明したハードウェア又はソフトウェア又はファームウェア構成要素に対して行い得る変形及び修正も対象範囲とする。
【００７８】
さらに、本開示にフロー図として提示及び説明した方法の実施形態は、技術をより完全に理解するために一例として提供したものである。開示した方法は、本明細書で示した動作及び論理フローに限定されるものではない。様々な動作の順序を変更した、及びより大きな動作の一部として説明される下位動作を個別に実行する代替の実施形態も考えられる。
【００７９】
本開示のために様々な実施形態について説明したが、このような実施形態を、本開示の教示をこれらの実施形態に限定するものであると見なすべきではない。本開示で説明したシステム及び処理の範囲内に含まれる結果を得るために、上述した要素及び動作に様々な変更及び修正を行うことができる。
【符号の説明】
【００８０】
１００  ユーザ
１４０  ステータスメッセージ
２００  インターネット
３００〜３ｎｎ  ソーシャルネットワーク
４００〜４ｎｎ  ステータスアップデートサービス
５００  ユーザに関連する人物
５４０  ステータスメッセージ
６００  ステータスメッセージ広告サービス
７００  広告主
【図１】
0005757505.tif 000002
【図２】
0005757505.tif 000003
【図３】
0005757505.tif 000004